(57)【要約】【課題】硬質発泡板からなる断熱材に伸縮性を発揮させると共に曲げ力が作用しても破断し難くする。【解決手段】断熱材Ａは、硬質の発泡板１の端面１ａに平行に且つ両面１ｂ，１ｃに深さが厚さの半分よりも深い複数の溝２（２ａ〜２ｄ）を設けると共に、少なくとも各溝の一部を可撓性を有する覆シート３によって覆う。鋼製梁の断熱気密構造は、鋼製梁１１のウエブ１１ｃに形成した穴１１ｄ，１１ｅを気密シート１４によって覆い、且つウエブ１１ｃの屋外側に断熱材Ｂを配置して溝２と平行な端面１ａ，１ｄを上下のフランジ１１ａ，１１ｂ間に嵌め込んで取り付ける。【選択図】       図１
2007002454.tif 000002
【特許請求の範囲】
【請求項１】
硬質の発泡板からなる断熱材であって、発泡板の端面に平行に且つ該発泡板の両面に深さが厚さの半分よりも深い複数の溝を設けると共に、少なくとも各溝の一部を可撓性を有するシートによって覆うことを特徴とする断熱材。
【請求項２】
鋼製梁の気密性を確保すると共に鋼製梁の屋外側の面を断熱する構造であって、鋼製梁のウエブに形成した穴を気密シートによって覆い、且つ前記ウエブの屋外側に硬質の発泡板の端面に平行に且つ該発泡板の両面に深さが厚さの半分よりも深い複数の溝を設けると共に少なくとも各溝の一部を可撓性を有するシートによって覆った断熱材を配置して該断熱材の溝と平行な端面を鋼製梁のフランジ間に嵌合させて取り付けたことを特徴とする鋼製梁の断熱気密構造。
【発明の詳細な説明】
【技術分野】
【０００１】
本発明は、硬質発泡板からなり、この硬質発泡板を部材間に取り付ける際に、伸縮性を発揮させることができ且つ折れ難さを発揮させることができる断熱材と、この断熱材を鋼製梁に用いて気密性を確保することができる鋼製梁の断熱気密構造と、に関するものである。
【背景技術】
【０００２】
住宅の外壁に沿って断熱層を形成する際に、硬質発泡ポリウレタンフォームや押出発泡ポリスチレン或いはフェノール樹脂発泡体等の硬質材料からなる板状の断熱材を用いることがある。これらの断熱材は極めて弾力性に乏しいため、鉄骨躯体を有する住宅に於ける柱と柱との間や梁と梁との間、或いは梁の上下フランジの間等の部材間に取り付ける際に、これらの間に嵌め込もうとしても弾性的に圧縮させることができない。このため、所定の部材の間に納めるには断熱材をこれらの部材間の寸法よりも僅かでも小さくしないと施工できないという問題がある。また断熱材の寸法を配置すべき部材間の寸法よりも小さくすることによって、端面を柱や梁に圧接させて自己保持することができず、気密が必要な部位では両者の接続部分に対し特別な気密処理を行う必要がある。
【０００３】
上記問題を解決するために、例えば特許文献１に記載された技術が提案されている。この技術は、硬質発泡ポリウレタン、発泡ポリスチレン等の板状の断熱材の、部材間に挿入したときに圧縮を受ける板の圧縮方向の端面付近の両面に、板面に対して略垂直で切り込みの間隔が板厚より小さく、且つ深さが板厚の半分より深く、互いに平行な複数の細溝を設けたものである。この技術では、厚さ方向に形成された複数の細溝によって該細溝と直交する方向への弾性が発揮され、部材間の寸法よりも大きい寸法で形成した断熱材を目的の部材の間に嵌め込んだとき、端面が該部材に圧接して自己保持することが可能となる。
【０００４】
【特許文献１】実公平２−１３６１７号公報
【発明の開示】
【発明が解決しようとする課題】
【０００５】
特許文献１の技術では、断熱材の板面に対しほぼ垂直に深さが板厚の半分よりも深い溝を入れたことによって弾性（圧縮方向への自由度、伸縮性）が発生するものの、板面に対し曲げ力が作用したとき、溝の開放側が開いて該溝の底部分を起点として折れ始め、簡単に破断してしまうという問題が生じる。
【０００６】
また鋼製梁のウエブには配管や配線を通す穴や他の部材を取り付ける際にボルトを通す穴等を含む複数の穴が形成されている。このため、断熱層を構成する際に鋼製梁のウエブの外壁側の面に特許文献１に記載された断熱材を配置する場合、該断熱材は鋼製梁の上下フランジ間に圧接して自己保持し得るものの、隣接する断熱材どうしの接続部分の気密処理をすることができず、この接続部分とウエブに形成された穴とが連通することになり、気密性を損なうという問題が生じる。
【０００７】
本発明の目的は、硬質発泡板からなり伸縮性を発揮させることができ且つ曲げ力が作用しても破断し難い断熱材と、この断熱材を鋼製梁に用いた場合の断熱気密構造を提供することにある。
【課題を解決するための手段】
【０００８】
上記課題を解決するために本発明に係る断熱材は、硬質の発泡板からなる断熱材であって、発泡板の端面に平行に且つ該発泡板の両面に深さが厚さの半分よりも深い複数の溝を設けると共に、少なくとも各溝の一部を可撓性を有するシートによって覆ったものである。
【０００９】
また本発明に係る鋼製梁の断熱気密構造は、鋼製梁の気密性を確保すると共に鋼製梁の屋外側の面を断熱する構造であって、鋼製梁のウエブに形成した穴を気密シートによって覆い、且つ前記ウエブの屋外側に硬質の発泡板の端面に平行に且つ該発泡板の両面に深さが厚さの半分よりも深い複数の溝を設けると共に少なくとも各溝の一部を可撓性を有するシートによって覆った断熱材を配置して該断熱材の溝と平行な端面を鋼製梁のフランジ間に嵌合させて取り付けたものである。
【発明の効果】
【００１０】
本発明に係る断熱材では、発泡板の両面に深さが厚さの半分よりも深い複数の溝を設けたことで、該溝に直行する方向に対する伸縮性を発揮することができる。特に、各溝の一部を可撓性を有するシートによって覆うと共に発泡板の面にこのシートを貼着させたことで、溝を開く方向の力が作用してもシートに規制されて溝の開放部分が開くことがなく、該溝の底部を起点とした破損が生じることがない。
【００１１】
また本発明に係る鋼製梁の断熱気密構造では、鋼製梁のウエブに形成されている穴を気密シートによって覆うと共にこの気密シートをウエブに貼着することで気密性を確保することができる。そしてウエブの屋外側に上記断熱材を配置して形成された溝と平行な端面を鋼製梁のフランジ間に嵌め込むことで、溝の形成によって発揮される伸縮性によって鋼製梁のフランジ間に自己保持される。また嵌め込む際に、断熱材寸法と上下フランジ間寸法の精度をさほど気にする必要がなく、施工性が極めて良い。従って、隣接する断熱材どうしの間や断熱材周辺で気密性の確保がし難い個所が生じていても、ウエブを覆う気密シートによって容易に気密性を確保することができており、鋼製梁の断熱気密構造を実現することができる。
【発明を実施するための最良の形態】
【００１２】
以下本発明に係る断熱材と、この断熱材を用いた鋼製梁の断熱気密構造の好ましい実施形態について説明する。先ず断熱材について説明する。
【００１３】
本発明の断熱材は、硬質の発泡板の端面に平行に且つ該発泡板の両面に深さが厚さの半分よりも深い複数の溝を設け、少なくとも各溝の一部を可撓性を有するシートによって覆って構成したものであり、住宅の柱と柱の間や梁と梁の間或いは梁を構成するＨ型鋼の上下フランジの間（これらの間を部材間ともいう）に嵌め込まれたとき、溝の開放部分が狭まって端面がこれらの部材に圧接することで自立することを実現し、且つ溝を開く方向の力が作用したとき溝の開放が可撓性を有するシートに規制されることで破断することのないようにしたものである。
【００１４】
本発明の断熱材は、躯体を構成する部材（構成部材）となる柱と柱、柱と梁、梁と梁、梁の上下フランジとによって形成される空間の内部に配置され、目的の構造部材の間に嵌め込まれたとき、一方向の両端面が圧接して自己保持することが可能である。躯体を構成する構造部材の材質は特に限定するものではなく、鉄骨造或いは木造の何れであっても適用することが可能である。
【００１５】
本発明に於いて、断熱材としては硬質プラスチック系の発泡板であれば良く、特に材質を限定するものではない。このような断熱材としては、硬質ウレタンフォームや押出発泡ポリスチレン或いはフェノール樹脂発泡体等の硬質プラスチック系断熱材があり、何れも利用することが可能である。硬質ウレタンフォームや押出発泡ポリスチレンは、高い硬度を有しており、厚さを選択することによって住宅として充分な断熱性能を発揮することが可能である。しかし、硬質ウレタンフォームは経時的な断熱性能の低下や、火災時に爆燃性を有することや有害ガスを発生するという問題があり、発泡ポリスチレンでは耐薬品性に劣るため、気密処理材が限定されることや燃え易いという問題も有する。
【００１６】
またフェノール樹脂発泡体からなる断熱材としては、本件出願人が開発して既に国際出願（特願２０００−５５８１５８）した技術（ネオマフォーム（登録商標））がある。このフェノール樹脂発泡体は、フェノール樹脂基体部と、多数の微細気泡から形成される気泡部とを有する密度が１０kg／ｍ3 〜１００kg／ｍ3 のフェノールフォームであり、前記微細気泡が炭化水素を含有し且つ平均気泡径が５μｍ〜２００μｍの範囲にあり、大部分の微細気泡の気泡壁が滑らかなフェノール樹脂基体面で構成されている。
【００１７】
そして発泡剤が炭化水素であるにも関わらず、従来のフロン系発泡剤と遜色のない熱伝導率を持ち、且つ熱伝導率の経時的な変化もなく、圧縮強度等の機械的強度に優れ、脆性が改善される。
【００１８】
上記フェノール樹脂発泡体では、高い断熱性と気密性とを有し、且つこれらの性能を長期間維持し得る性質を有している。フェノール樹脂発泡体に於ける断熱性は、気泡径が５μｍ〜２００μｍの範囲、好ましくは１０μｍ〜１５０μｍと小さく、且つ独立気泡率を８０％以上と高く保持することによって確保することが可能である。またフェノール樹脂発泡体は高い耐燃焼性を有しており、火炎が作用したとき、表面が炭化することで、着火することがなく、且つガスが発生することがない。
【００１９】
例えば、フェノール樹脂発泡体の密度を２７kg／ｍ3 に設定した場合、２０℃に於ける熱伝導率は０．０２Ｗ／ｍ・Ｋであり、圧縮強さは１５Ｎ／ｃｍ2 、熱変形温度は２００℃である。前記フェノール樹脂発泡体の性能は、押出発泡ポリスチレン３種が熱伝導率；０．０２８Ｗ／ｍ・Ｋ、圧縮強さ；２０Ｎ／ｃｍ2 、熱変形温度；８０℃であることや、硬質ウレタンフォーム２種が熱伝導率；０．０２４Ｗ／ｍ・Ｋ、圧縮強さ；８Ｎ／ｃｍ2 熱変形温度;１００℃であることと比較して充分に高い性能である。
【００２０】
このため、フェノール樹脂発泡体からなる断熱材では、従来の押出発泡ポリスチレンや硬質ウレタンフォームの約２／３程度の厚さで略同等の断熱性能を発揮することが可能である。
【００２１】
またフェノール樹脂発泡体は、比較的脆い材料であるため、少なくとも片面にクラフト紙や不織布からなる保護層を設けるのが一般的である。特に、本件出願人が開発して特許出願している特開平１１−１９８３３２号公報に開示されたフェノール樹脂発泡体積層板は、保護層を形成する不織布を改良することによって接着性能を向上させたものであり、この不織布によってフェノール樹脂発泡体の強度を改善して、強度、断熱性共に優れた建築用断熱材として提供されるものである。
【００２２】
上記の如くフェノール樹脂発泡体の表裏面に保護層を設けた積層板からなる断熱材は、端面（小口）はフェノール樹脂基体面が露出した状態となっている。このため、表裏面は保護層を構成する不織布を利用して貼着テープや貼着シートを貼り付けることが可能である。このように、硬質プラスチック系断熱材は、高い断熱性を有するものの弾力性に劣るという特徴を有する。
【００２３】
本発明に於いて、断熱材を構成する発泡板に設けられた溝は、構成部材に対して圧接すべき方向の端面（例えば幅方向の端面或いは長手方向の端面）に平行に該発泡板の両面に深さが厚さの半分よりも深くなるように形成されている。この溝の幅寸法や条数は特に限定するものではなく、断熱材を配置すべき構成部材間の寸法や、断熱材の端面が圧接する構成部材の構造等に応じて適宜設定することが好ましい。前記溝は断熱材の両面に交互に設けることが好ましく、このような溝を設けることによって溝に対して直角方向の力を作用させたときに断熱材を直線的に変形させることが可能となり、部材間に嵌め込む以前、及び嵌め込む際に断熱材の平坦性を保持することが可能である。また溝は直線状に且つ断熱材の端部から端部にわたって形成することが好ましい。このような溝を形成した場合、製造が容易となる。
【００２４】
例えば、構造部材に於ける圧接すべき面が平坦な面であり、特別な部品を取り付けるような部位ではないような場合、該部位に配置される断熱材は構造部材間に嵌め込まれたときに自己保持するのに充分な圧接を実現し得る程度の復元力を発揮し得れば良く、多くの条数を必要とはしない。これに対し、構造部材に於ける圧接すべき面に他の部材を取り付けるためのボルト等が配置されるような場合、該部位に配置される断熱材はボルトの頭部、或いはナットを回避し得る程度に圧縮することが必要となり、多くの条数が必要となる。
【００２５】
特に、断熱材としてフェノール樹脂発泡体を用いた場合、このフェノール樹脂発泡体がは高い断熱性能を有するため、他の断熱材を利用する場合と比較して薄くすることが可能となる。このため、部材間で自己保持する好ましい板幅は他の断熱材と比較して狭くなり、梁のフランジ間や根太間に適用して有利である。
【００２６】
従って、発泡板に形成する溝の幅寸法や条数は、断熱材を取り付けるべき部位に於ける構造部材の寸法や構造に応じて適宜設定することが好ましい。また、発泡板の板幅は適用すべき部材間の寸法よりも大きく、且つ発泡板の板幅から溝の幅寸法と溝の数との積を引いた寸法が適用すべき部材間の寸法よりも小さいことが必要である。
【００２７】
発泡板に設けた複数の溝は、該発泡板に於ける構成部材に圧接すべき端面に対し平行に形成される。しかし、何れの端面側に設けるかは限定するものではなく、両端面側（例えば発泡板の幅方向の両端面側に、或いは長手方向の両端面側）に夫々設けても良く、一方の端面側にのみ設けても良い。このようにすると、板全体が反らないので、施工時取り付けやすく、且つ自己保持性も良い。に
【００２８】
本発明に於いて、発泡板に溝を形成する方法は限定するものではない。溝は発泡板を横切るように直線状に形成されるため、例えば溝の幅寸法に対応した厚さを持った円板状のソーやバイトを利用して機械的に加工することが可能であり、また発泡成形時に予め溝の形状に応じた部材を配置しておき、成形が完了したときに該部材を排除することで形成することも可能である。
【００２９】
断熱材を構成する発泡板に設けた溝を覆うと共に発泡板の面に貼着させる可撓性を有するシート（以下、「覆シート」という）は、断熱材に曲げ力が作用したときに該曲げ力に応じて溝の開放部が拡大することを阻止して断熱材の破断を防止し、また開放部が縮小する際にはこの縮小に追従して断熱材の圧縮を許容する機能を有するものである。従って、覆シートとしては、前記機能を発揮し得るものであれば用いることが可能であり、材質を限定するものではない。
【００３０】
覆シートは溝の少なくとも一部を覆うことが可能であれば良く、覆うべき溝の長さを限定するものではない。例えば、覆シートによる溝の覆い長さは、溝の覆われた部分に於ける覆シートの断面積の大きさと覆シートの許容引張応力、及び断熱材に作用する最大曲げ力との関係で設定することが可能である。
【００３１】
このため、覆シートの許容引張応力が大きい場合、溝の長手方向の中央部分の１個所を覆うことで強度的に満足させることが可能である。しかし、断熱材に設けた溝の長さが大きく且つ覆シートが中央部分の１個所を覆っているような場合、該断熱材に均等に曲げ力が作用したとしても、この曲げ力によって溝の両端部分が広がって底部からの破断が生じる虞がある。従って、溝の長さによっては２個所、或いは３個所を覆うことが好ましい場合も生じる。
【００３２】
また覆シートによって溝を覆う場合の方向や覆い方も特に限定するものではなく、複数の溝に対し交叉する方向に覆シートを配置して一度に複数の溝を覆うようにしても良く、溝と平行な方向に覆シートを配置して一度に一つの溝を覆うようにしても良い。
【００３３】
上記の如く、覆シートは覆った溝の開放部分が拡大して底部を起点として破損することを防止するものであるため、断熱材に対して作用する力の方向が決まっているような場合には作用する方向に応じて開放部分が拡大する溝のみを覆うようにすることが好ましい。即ち、断熱材が一方向の曲げ力のみが作用することが決まっている場合、作用する曲げ力によって開放部分が拡大する溝の一部を覆シートによって覆い、開放部分が縮小する溝は覆シートによって覆うことなく構成することが好ましい。
【００３４】
即ち、覆シートとしてテープ状のものを用い、このテープ状の覆シートを溝に対して直角方向に配置して複数の溝に跨がらせ、或いは複数の溝から断熱材の両面に跨がらせることが好ましい。断熱材、溝に対してこのようにテープ状の覆シートを配置することで、テープの無駄がなく且つ施工性も良く、且つ使用量の割に強度を発揮することが可能となり力学的な面からも効率が良い。特に断熱材としてフェノール樹脂発泡体を用いた場合には、小口やその近傍が壊れ安いため、小口の付近にテープ状の覆シートを貼着することで壊れを防ぐことが可能となり好ましい。
【００３５】
覆シートとしては、粘着性を持った紙テープ、布テープ、ビニールテープやセロファンテープがあり、これらのテープを選択的に用いることが可能である。しかし、気密性を考慮して断熱材に於ける全ての溝を覆うような場合には、粘着性を持った合成樹脂テープやアルミニウム等の金属テープ等からなる気密テープを用いることが好ましい。何れにしても、断熱材の適用部位や気密保持等の機能に対応させて最適なものを選択して用いることが好ましい。
【００３６】
上記の如く構成された断熱材では、溝に対し該溝を圧縮させる方向の力を作用させると、この力に応じて溝が縮小することで断熱材の溝に対し平行な端面間の寸法が小さくなる。この状態を保持して断熱材を構成部材の間に嵌め込み、その後、前記力を除去すると、縮小している溝が元の状態に復帰しようとし、このとき発生する復元力によって端面が構成部材の圧接面に圧接し、これにより、断熱材は構成部材の間で自己保持することが可能である。
【００３７】
また断熱材に曲げ力が作用したとき、この曲げ力によって開放部が拡大する側の溝は覆シートによって拡大が阻止され、開放部が縮小する側の溝は覆シートが撓むことで断熱材の端部側が湾曲する。このため、断熱材の湾曲形状は覆シートに規制されて溝の底部を起点とする破断が防止される。
【００３８】
次に、鋼製梁の断熱気密構造について説明する。本発明の鋼製梁の断熱気密構造は、ウエブに複数の穴が形成された鋼製梁の屋外側に前述の断熱材を配置したときに、該断熱材どうしの接続部或いは断熱材と梁の上下フランジとの接続部に対し気密処理を施すことなく、気密性を確保し得るようにしたものである。このため、本発明では、鋼製梁のウエブに形成した穴を気密シートによって覆うと共にこの気密シートをウエブに貼着し、このウエブの屋外側に断熱材を配置して該断熱材の溝と平行な端面を鋼製梁の上下フランジ間に嵌め込んで取り付けている。
【００３９】
本発明に於いて、鋼製梁のウエブに形成される穴の大きさや数、或いは位置等は如何なるものでも良く、通常の鉄骨造の躯体を構成する鋼製梁を対象としている。躯体を構成する鋼製梁のウエブには、一定の間隔を持って配管や配線を通す穴や、他の部材を取り付けるためのボルトを通す穴が形成されているのが一般的である。そして、本発明では、前記穴を気密シートによって覆うことで通気性を遮断し、これにより、気密性を確保している。
【００４０】
鋼製梁のウエブに形成された穴を覆う気密シートとしては、材質を特に限定するものではなく、粘着性を持った合成樹脂製の気密シートや、粘着性を持ったアルミニウム等の金属製の気密シートを用いることが可能である。これらの気密シートは幅がウエブに形成された穴を一度に覆うことが可能な寸法であることが好ましい。このような気密シートを用いることで、一度の貼着作業でウエブに形成された全ての穴を覆うことが可能となる。
【実施例１】
【００４１】
次に、本発明に係る断熱材の実施例について図を用いて説明する。図１は本実施例に係る断熱材の構成を説明する図である。図２は図１の要部を拡大して説明する図である。
【００４２】
図１，２に於いて、断熱材Ａは、硬質の発泡板１の端面（発泡板１の長手方向の端面であって上部側の端面）１ａに対して平行に、且つ発泡板１の両面１ｂ，１ｃに夫々複数の溝２（２ａ〜２ｄ）が設けられ、これらの溝２の少なくとも一部が覆シート３によって覆われて構成されている。
【００４３】
発泡板１は、フェノール樹脂発泡体からなる板によって構成されており、長さは建物の１層に於ける上下の梁の間に嵌め込まれたとき自己保持し得るように、上下の梁間の寸法よりも大きい寸法を有している。また幅は柱間の寸法に応じた寸法を有している。このフェノール樹脂発泡体は極めて高い断熱性を有するため、大きな厚さを必要としない。しかし、躯体を構成する上下の梁と左右方向の柱に配置されたときに特別な補強を施すことなく自立し得る程度の剛性を発揮することが可能な厚さ（例えば２５ｍｍ）を有している。
【００４４】
複数の溝２は、発泡体１の厚さの半分よりも深い約１５ｍｍ程度の深さを持って、且つ幅は約２ｍｍの寸法を持って該発泡板１の幅方向の全長にわたって形成されている。特に本実施例では、発泡板１の両面１ｂ，１ｃに夫々２条の溝２ａ，２ｂ、溝２ｃ，２ｄが形成されている。
【００４５】
覆シート３は、粘着性を持った幅が約５０ｍｍ程度の紙テープを用いている。即ち、発泡板１がフェノール樹脂発泡体によって構成されているため、該発泡板１の両面１ｂ，１ｃは不織布の面となり、粘着性を持った紙テープが良好な状態で貼着することが可能である。
【００４６】
覆シート３は、発泡板１の各面１ｂ，１ｃに形成された溝２ａ，２ｂ、溝２ｃ，２ｄに対し直交する方向に配置され、二つの溝２ａ，２ｂ及び溝２ｃ，２ｃを同時に覆うようにして各面１ｂ，１ｃに貼着されている。また覆シート３は各溝３ａ〜３ｄの長手方向（発泡板１の幅方向）に対し３個所を覆うように配置されている。
【００４７】
上記の如く構成された断熱材Ａでは、溝２に対し直交する方向に発泡板１を圧縮させる力を作用させると、この力に応じて溝２（各溝２ａ〜２ｄ）の幅が縮小することで断熱材Ａの寸法が小さくなる。このとき、覆シート３は各溝２ａ〜２ｄを覆う部分に撓みが生じ、これにより、各溝２ａ〜２ｄの縮小を許容する。
【００４８】
断熱材Ａが縮小した状態を保持して該断熱材Ａを目的の構成部材間に嵌め込み、その後、発泡板１を圧縮させる方向に作用する力を解除すると、この解除に伴って断熱材Ａが元の寸法に復帰しようとし、端面１ａが対抗する構成部材に圧接して自己保持する。従って、断熱材Ａは、目的の配置部位に於ける柱や梁等の構成部材の間に於ける配置位置を安定した状態で確保することが可能となる。
【００４９】
また断熱材Ａに例えば面１ｂから面１ｃ方向への曲げ力が作用したとき、この曲げ力に応じて面１ｂに形成された溝２ａ，２ｂは開放部分が拡大し、面１ｃに形成された溝２ｃ，２ｄは開放部分が縮小する。このとき、溝２ａ，２ｂの開放部分は一部が覆シート３に覆われて拘束されるため、過大な拡大が阻止され底部を起点とした破損が生じることがない。また溝２ｃ，２ｄの開放部分は一部が覆シート３に覆われて拘束されるものの、該覆シート３が可撓性を有するため、溝２ｃ，２ｄの開放部分の縮小に追従することが可能となる。
【００５０】
このように、断熱材Ａに曲げ力が作用した場合であっても、溝２の底部を起点として破断することがなく、且つ構成部材の間に嵌め込まれて安定した状態を確保することが可能となる。
【実施例２】
【００５１】
次に、断熱材Ａを構成する発泡板１に設けた溝２を覆シート３によって覆う場合の覆い方の例について図を用いて説明する。図３は覆シートによって溝を覆う覆い方を説明する図である。
【００５２】
図３（ａ）は、発泡板１の面１ｂに形成した二つの溝２ａ，２ｂ、及び面１ｃに形成した二つの溝２ｃ，２ｄに対し直交する方向の３個所に覆シート３を配置して覆った例である。この実施例では、各覆シート３は発泡板１の面１ｂから端面１ａを跨いで面１ｃ側に掛け渡され、各面１ｂ，１ｃに形成された溝２ａ〜２ｄを一度に覆うように構成している。
【００５３】
尚、発泡板１の材料が高い被粘着性を有するような場合には、覆シート３を発泡板１の端面１ａから面１ｂ側に形成された溝２ａ，２ｂに対して、また端面１ａから面１ｃに形成された溝２ｃ，２ｄに対して夫々配置して個別に覆うようにしても良い。
【００５４】
同図（ｂ）は、発泡板１の面１ｂに形成された溝２ａ，２ｂに沿って２個所に覆シート３を配置して貼着することで各溝２ａ，２ｂの一部を覆うようにしたものである。この例では、覆シート３の幅寸法の如何に関わらず溝２ａ，２ｂに対する覆い寸法を設定することが可能となり、作業上の面や強度的な面で有利である。
【００５５】
同図（ｃ）は、発泡板１の面１ｂに形成された溝２ａ，２ｂを夫々全長にわたって覆シート３で覆うと共に、該覆シート３を面１ｂに貼着したものである。このように、溝２ａ，２ｂの端部を覆シート３によって覆うことで、欠けを含む破損のし易い部分を補強することが可能となり有利である。
【００５６】
尚、溝２ａ，２ｂの全長を覆シート３によって覆うような場合、覆シート３として気密性を有する金属テープを用いることで、断熱材Ａに気密性を発揮させることが可能となる。
【実施例３】
【００５７】
次に、鋼製梁の断熱気密構造の実施例について図を用いて説明する。図４は外壁に沿って断熱層を構成する際に鋼製梁の屋外側に断熱材を配置した構造を説明する図である。図５は鋼製梁に形成された穴を気密シートによって覆った状態を説明する図である。図６は鋼製梁の断熱気密構造を説明する断面図である。
【００５８】
先ず、図４により、建物の外壁に沿って構成された断熱層の構造について簡単に説明する。鋼製梁１１は図示しない柱に支持されており、該柱の下端側は基礎梁或いは鋼製梁に接続されている。鋼製梁１１の上部フランジ１１ａには上階の床１２が支持されている。また鋼製梁１１の屋外側には外壁１３が構成されている。床１２，外壁１３の材料や構造は特に限定するものではないが、本実施例では軽量気泡コンクリートパネル（ＡＬＣパネル）を用いている。
【００５９】
鋼製梁１１と下方に配置された図示しない基礎梁或いは鋼製梁との間に断熱材Ａが配置されると共に、鋼製梁１１の下部フランジ１１ｂと下方の梁との間に嵌め込まれ、端面１ａが下部フランジ１１ｂに圧接して自己保持されている。
【００６０】
また鋼製梁１１のウエブ１１ｃには気密シート１４が配置されており、この気密シート１４によって該ウエブ１１ｃに形成された穴１１ｄ，１１ｅが覆われている。更に、鋼製梁１１のウエブ１１ｃの屋外側には断熱材Ｂが配置されると共に、上下のフランジ１１ａ，１１ｂの間に嵌め込まれて自己保持されている。
【００６１】
このように、鋼製梁１１の屋外側には略同一面上に断熱材Ａ，Ｂが配置されることとなり、これらの断熱材Ａ，Ｂによって断熱層が構成されている。
【００６２】
次に、図５，６により鋼製梁の断熱気密構造についてより詳しく説明する。尚、図に於いて、前述の第１実施例に係る断熱材Ａと同一の部分及び同一の機能を有する部分には同一の符号を付して説明を省略する。
【００６３】
図５に示すように、鋼製梁１１のウエブ１１ｃには一定の間隔で配管や配線を通す比較的径の大きい穴１１ｄと、ウエブ１１ｃに他の部材（例えば鋼製梁）を取り付けるために用いるボルトを通す比較的径の小さい穴１１ｅが形成されている。また図６に示すように上部フランジ１１ａには該上部フランジ１１ａに他の部材（例えば上階の柱等）を取り付けるためのボルトを通す穴１１ｆが形成されている。
【００６４】
本実施例では、鋼性梁１１のウエブ１１ｃに形成された複数の穴１１ｄ，１１ｅを気密シート１４によって気密性を確保している。気密シート１４によって穴１１ｄ，１１ｅを覆う際に、気密シート１４をウエブ１１ｃに密着させると共にこの密着状態を保持する方法については特に限定するものではない。
【００６５】
本実施例では、気密シート１４として透明な合成樹脂製でウエブ１１ｃに対する粘着性を持ったシートを用いている。従って、気密シート１４を鋼製梁１１のウエブ１１ｃに貼着することで、穴１１ｄ，１１ｅの全てを覆うことが可能である。
【００６６】
特に、気密シート１４をウエブ１１ｃの両面に貼着した場合には、気密シート１４の粘着層が穴１１ｄ，１１ｅから露出した状態で長期間保持するようなことがなく、しかも穴１１ｄ，１１ｅの二つの開口部分が気密シート１４によって覆われることで、高い気密性を確保することが可能となる。
【００６７】
断熱材Ｂは、高さ寸法が鋼製梁１１の上下フランジ１１ａ，１１ｂの対向する面間の寸法よりも大きく形成され、高さ方向の両端面１ａ，１ｄ側に、夫々端面１ａ，１ｄと平行に且つ両面１ｂ，１ｃに複数の溝２が形成されており、各溝２は覆シート３によって一部が覆われている。
【００６８】
また発泡板１の端面１ａには、該発泡板１の厚さ方向の略中央に予め設定された幅寸法と深さ寸法を持った凹溝１ｅが形成されており、この凹溝１ｅによって鋼製梁１１の上部フランジ１１ａに形成された穴１１ｆにボルトを通したとき、上部フランジ１１ａの下側の面に配置されるボルトの頭部を回避し得るように構成されている。
【００６９】
本実施例に於いて、断熱材Ｂには幅寸法が約２ｍｍの溝が全部で８条形成されており、高さ方向に圧縮力を作用させたとき、該断熱材Ｂを約１０ｍｍ〜１４ｍｍ程度圧縮することが可能である。この圧縮寸法は、予め鋼製梁１１の上部フランジ１１ａに形成した穴１１ｆにボルトを締結した場合でも、このボルトの頭部を容易に回避し得る寸法である。
【００７０】
上記の如く、予め鋼製梁１１のウエブ１１ｃに形成された穴１１ｄ，１１ｅを気密シート１４によって覆っておき、その後、断熱材Ｂに対し高さ方向の圧縮力を作用させて各溝２を縮小させることで収縮させる。次いで、端面１ｄを鋼製梁１１の下部フランジ１１ｂの上面に当接させた状態で、端面１ａを上部フランジ１１ａの端部側から下面側に移動させて対向させる。この過程で、上部フランジ１１ａに形成された穴１１ｆに通されているボルトの頭部を回避する。
【００７１】
そして断熱材Ｂに対する圧縮を解除すると、縮小している各溝２が元の状態に復帰しようとし、このときの復元力によって、端面１ａが上部フランジ１１ａの下面に圧接すると共に端面１ｄが下部フランジ１１ｂの上面に圧接してこの状態を保持する。
【００７２】
従って、鋼製梁１１は、ウエブ１１ｃの屋外側が断熱材Ｂによって断熱され、ウエブ１１ｃに形成された穴１１ｄ，１１ｅが気密シート１４によって覆われることで気密性が確保されることになる。
【００７３】
上記の如く構成された鋼製梁の断熱気密構造では、鋼製梁１１の長手方向に沿って複数の断熱材Ｂを連続した配置した場合であっても、各断熱材Ｂの接続部位に於ける気密性を確保しなくとも、ウエブ１１ｃに形成された穴１１ｄ，１１ｅが気密シート１４によって覆われていることで気密性を確保することが可能である。
【産業上の利用可能性】
【００７４】
本発明の断熱材では、フェノール樹脂発泡体や硬質発泡ポリウレタン或いは発泡スチレンのように極めて硬質で且つ脆さのある断熱板であっても、溝に対し直交する方向への伸縮性を発揮させることが可能となり、建物の躯体を構成する柱や梁等の構成部材間に嵌め込んだとき、これらの構成部材に圧接して自己保持することが可能となり、高い安定性を持った断熱層を構成することが可能となって有利である。
【００７５】
また本発明の鋼製梁の断熱気密構造では、鋼製梁の屋外側に断熱材を配置して自己保持することが可能となり、且つ鋼製梁のウエブに形成された穴を気密シートによって覆うことで高い気密性を発揮させることが可能となる。このため、外壁に沿って略同一面内に断熱層を構成することが可能となり有利である。
【図面の簡単な説明】
【００７６】
【図１】本実施例に係る断熱材の構成を説明する図である。
【図２】図１の要部を拡大して説明する図である。
【図３】覆シートによって溝を覆う覆い方を説明する図である。
【図４】外壁に沿って断熱層を構成する際に鋼製梁の屋外側に断熱材を配置した構造を説明する図である。
【図５】鋼製梁に形成された穴を気密シートによって覆った状態を説明する図である。
【図６】鋼製梁の断熱気密構造を説明する断面図である。
【符号の説明】
【００７７】
Ａ，Ｂ                    断熱材
１                        発泡板
１ａ，１ｄ                端面
１ｂ，１ｃ                面
１ｅ                      凹溝
２，２ａ〜２ｄ            溝
３                        覆シート
１１                      鋼製梁
１１ａ                    上部フランジ
１１ｂ                    下部フランジ
１１ｃ                    ウエブ
１１ｄ〜１１ｆ            穴
１２                      床
１３                      外壁
１４                      気密シート
【図１】
2007002454.tif 000003
【図２】
2007002454.tif 000004
【図３】
2007002454.tif 000005
【図４】
2007002454.tif 000006
【図５】
2007002454.tif 000007
【図６】
2007002454.tif 000008